(57)【要約】【課題】室内に省スペースで簡単に設置できて設置位置の変更も容易で、夜間でも十分な広告機能を発揮可能とする。【解決手段】広告用パネル１は、室内の天井と床との間で鉛直方向に固定可能な一対のポール２，２と、そのポール２，２の間でポール２と平行に支持され、導光板９の前面に広告取付面を形成したパネル本体３とからなる。【選択図】図１
0003149077.tif 000002
【実用新案登録請求の範囲】
【請求項１】
室内の天井と床との間で鉛直方向に固定可能な一対のポールと、そのポールの間で前記ポールと平行に支持され、導光板の前面に広告取付面を形成したパネル本体とからなる広告用パネル。
【請求項２】
前記パネル本体は、何れか一方の側辺が隣接するポールとヒンジ結合され、他方の側辺が隣接するポールと着脱可能に連結されて、前記ヒンジを中心に水平方向へ任意に開閉可能であることを特徴とする請求項１に記載の広告用パネル。
【請求項３】
前記パネル本体の背面にホワイトボードを設けたことを特徴とする請求項１又は２に記載の広告用パネル。
【考案の詳細な説明】
【技術分野】
【０００１】
本考案は、店舗の広告等に使用する広告用パネルに関する。
【背景技術】
【０００２】
店舗の広告に使用される看板には、蛍光灯やＬＥＤ等の発光手段を内蔵して夜間にも目立つようにしたものがよく知られている。このような看板は、店舗の内外で独立して設置したり（自立型）、店舗の壁面や屋根等へ一体に設けられたり（固定型）している。
【考案の開示】
【考案が解決しようとする課題】
【０００３】
自立型のものは、設置位置の変更は可能であるが、風等で倒れたりしないようにある程度の大きさや重量を要するため、店舗の内外でスペースをとる上、取扱も容易でない。一方、固定型のものは、スペースの問題はないが、設置位置の変更にはコストが掛かってしまう。そこで、店舗のガラス面に広告を直接表記することも行われているが、これも一旦表記すると変更は容易ではないし、自立型や固定型のように発光機能を備えないため、夜間に外から見ると暗くなって目立たない。
【０００４】
そこで、本考案は、室内に省スペースで簡単に設置できるのは勿論、設置位置の変更も容易となり、而も夜間でも十分な広告機能を発揮できる広告用パネルを提供することを目的としたものである。
【課題を解決するための手段】
【０００５】
上記目的を達成するために、請求項１に記載の考案は、室内の天井と床との間で鉛直方向に固定可能な一対のポールと、そのポールの間でポールと平行に支持され、導光板の前面に広告取付面を形成したパネル本体とからなる構成としたものである。
請求項２に記載の考案は、請求項１の構成において、パネル本体は、何れか一方の側辺が隣接するポールとヒンジ結合され、他方の側辺が隣接するポールと着脱可能に連結されて、ヒンジを中心に水平方向へ任意に開閉可能であることを特徴とするものである。
請求項３に記載の考案は、請求項１又は２の構成において、パネル本体の背面にホワイトボードを設けたことを特徴とするものである。
【考案の効果】
【０００６】
請求項１に記載の考案によれば、全体が厚みの薄いパネル状であるため、室内に省スペースで簡単に設置できる上、設置位置の変更も容易となる。而も導光板によって発光するので、夜間でも十分な広告機能が発揮できる。
請求項２に記載の考案によれば、請求項１の効果に加えて、パネル本体が任意に開閉可能であるので、設置位置を変更することなく、広告取付面に設けたポスター等を取り替えたり、パネル本体を掃除したりすることが簡単に可能となる。
請求項３に記載の考案によれば、請求項１又は２の効果に加えて、ホワイトボードの採用により、室内側に向けた広告効果も得られる。
【考案を実施するための最良の形態】
【０００７】
以下、本考案の実施の形態を図面に基づいて説明する。
図１は、広告用パネルの一例を示す全体図、図２はパネル本体の分解斜視図、図３はパネル本体の取付構造の説明図で、広告用パネル１は、一対のポール２，２と、そのポール２，２の間でポール２と平行に支持される矩形状のパネル本体３とからなる。
まずポール２は、アルミニウム製で、上端には取付板４が直交状に設けられる一方、下端にはベース板５が直交状に設けられている。このベース板５は、上面に立設したネジ６をポール２の下端に螺合させることで、取付位置が調整可能となっている。また、ポール２は、図３にも示すように、周面の４箇所に軸方向のスリット７，７・・を等間隔で形成して、各スリット７の奥側に、スリット７の幅よりも広い空間部８を連通状態で形成している。
【０００８】
パネル本体３は、図２に示すように、白色ＬＥＤを用いた図示しない発光ユニットを周縁に沿って配設し、外周をアルミニウム製の後フレーム１０で囲んだアクリル性の導光板９を有する。この導光板９の前面には、後フレーム１０と同じ外形を有して導光板９の周縁を囲み、各周縁部１２が二点鎖線で示すように開閉可能な枠状の前フレーム１１が取り付けられて、透明なポリカーボネート製で矩形状の保護パネル１３を、周縁部１２によって着脱可能としている。この前フレーム１１の周縁部１２と保護パネル１３とにより、導光板９の前面に、広告を記載したポスター１４等が挟持可能な広告取付面が形成される。また、パネル本体３の裏面には、図３に示すようにホワイトボード１５が設けられている。
【０００９】
このパネル本体３とポール２，２との取付けは、図３に示すように、パネル本体３の裏側でホワイトボード１５の左右の側辺に沿ってアングル１６，１６を夫々取付け、左側のアングル１６をヒンジ金具１７を介して隣接するポール２にヒンジ結合している。すなわち、アングル１６をヒンジ金具１７の一方の取付板１８にネジ止めすると共に、他方の取付板１９を、スリット７を通してポール２内の空間部８に挿入された抜け止め板２０にネジ止めするものである。このヒンジ金具１７は、パネル本体３の側辺に沿って複数（ここでは３個）設けられている。
【００１０】
一方、右側のアングル１６は、側方に突設した連結片２１と、空間部８内でポール２にネジ止めされてスリット２から突出するアングル２２との間に設けた着脱機構２３によって着脱可能に連結される。この着脱機構２３は、周知のボールキャッチやマグネットキャッチ等が使用される。よって、パネル本体３は、右側の着脱機構２３から連結片２１を離間させると、同図に二点鎖線で示すように、ヒンジ金具１７で連結される左側を中心として後方へ水平回転させることができる。
【００１１】
なお、パネル本体３の発光ユニットへの電源コード２４は、パネル本体３の側方から外部へ引き出され、隣接するポール２の空間部８内を通してポール２の下端から外部へ引き出されて商用電源に繋がれる。ポール２の外側面には、電源コード２４が接続される電源スイッチ２５が設けられている。
【００１２】
以上の如く構成された広告用パネル１においては、所望のポスター１４等を前フレーム１２によって導光板９と保護パネル１３との間に挟持させたパネル本体３を、店舗のガラス壁やガラス窓の近傍で表側（広告取付面側）を外に向けてガラス壁と平行に設置し、ベース板５で高さを調整して左右のポール２の上端の取付板４を天井に当接させる。すると、ポール２，２が天井と床との間で突っ張った格好で鉛直方向に固定される。このとき、必要であれば取付板４を天井にネジ止めしてもよい。
次に、電源コード２４をコンセントに繋いで電源スイッチ２５をＯＮ操作すると、導光板９が発光してポスター１４等が裏から照明される。よって、夜間でも目立ち、外から容易に視認できる。
【００１３】
また、この設置状態でパネル本体３の裏側のホワイトボード１５が室内側へ向くため、ホワイトボード１５を利用して別のポスター等をマグネットで貼り付けたりすることができ、室内側に向けた広告効果も得られる。
さらに、パネル本体３は着脱機構２３によって室内側へ水平回転させることができるため、設置位置を変更することなく、ポスター１４を取り替えたり、保護パネル１３を掃除したりすることが簡単に可能となる。
【００１４】
そして、広告用パネル１の設置位置を変更したい場合は、ベース板５を緩めて天井と床との間でのポール２の固定を解除すれば、所望の場所へ容易に移動させて同様に天井と床との間に設置することができる。なお、設置位置が自動ドアのある入口の側方で戸袋側（ドアの引込み側）であれば、広告用パネル１によって当該位置に人が近づくことが阻止され、自動ドアへの巻き込み事故の防止に繋がる。
【００１５】
このように、上記形態の広告用パネル１によれば、室内の天井と床との間で鉛直方向に固定可能な一対のポール２，２と、そのポール２，２の間でポール２と平行に支持され、導光板９の前面に広告取付面を形成したパネル本体３とからなる構成としたことで、全体が厚みの薄いパネル状であるため、室内に省スペースで簡単に設置できる上、設置位置の変更も容易となる。而も導光板９によって発光するので、夜間でも十分な広告機能が発揮できる。
【００１６】
なお、ヒンジ結合と着脱機構とは左右逆に設けてもよいし、ヒンジ結合や着脱機構の具体的な構造等も適宜変更可能である。勿論ヒンジ結合と着脱機構とは必須ではなく、パネル本体をアングル等を利用してポールと一体に固定することもできる。
また、パネル本体も、大きさや形状は適宜変更可能であるし、広告取付面は、周縁部を固定にして前フレームを後フレームに対して開閉可能とすることで形成してもよい。この場合、保護パネルを前フレームと一体に設けることもできる。さらに、裏面ではホワイトボードに代えて、ビニールスポンジレザーやコルク材料等を表面に使用したピン用の掲示板を設けたりしてもよい。
【００１７】
その他、ポールの構造も上記形態に限らず、四角柱やアングルを使用したり、ベース板や取付板に代えて、ネジ等による伸縮構造を採用して天井と床との間で突っ張るようにしたり、ポールの上下端同士を連結バーで連結してフレーム状としたり等、適宜変更して差し支えない。
【図面の簡単な説明】
【００１８】
【図１】広告用パネルの説明図である。
【図２】パネル本体の分解斜視図である。
【図３】パネル本体の取付構造の説明図である。
【符号の説明】
【００１９】
１・・広告用パネル、２・・ポール、３・・パネル本体、７・・スリット、８・・空間部、９・・導光板、１０・・後フレーム、１１・・前フレーム、１３・・保護パネル、１４・・ポスター、１５・・ホワイトボード、２３・・着脱機構、２４・・電源コード、、２５・・電源スイッチ。
【図１】
0003149077.tif 000003
【図２】
0003149077.tif 000004
【図３】
0003149077.tif 000005